(57)【特許請求の範囲】
【請求項１】
アパートでスマート端末を利用して統合的なサービスを提供するシステムにおいて、
各世帯に設置され、着脱が可能なドッキングステーション１００およびスマートパッド２００で構成され、ネットワーク接続状態である各世帯の照明、ＴＶ、エアコン、ヒータ、玄関ドア、ボイラおよびガスの設備を無線により制御でき、インターネット１を通じて公演の予約、商品の注文および決済が可能であり、災害発生時に、アクセスポイント６０ａとの接続およびブルートゥース受信機６０ｂとのペアリングを通じて位置が確認されるようにして、防災センター５０からリアルタイムで避難路の案内を受けることができ、スマートパッド２００に備えられたカメラを通じて、災害発生時に世帯構成員の状況を送信でき、無線通話が可能なスマート端末１０、および
少なくとも一つのアクセスポイント６０ａとの接続信号および少なくとも一つのブルートゥース受信機６０ｂとのペアリング信号を受信して、前記スマート端末１０の位置情報を確認し、前記スマート端末１０と無線通話が可能なＡＰＴ管理サーバ２０を含み、
前記スマートパッド２００は、
前記ドッキングステーション１００のドッキング部１０２と接続され、バッテリの充電およびデータの送受信をするドッキング部２０２、
タッチパッドを含んで構成され、キー入力および画面表示をするディスプレイ部２０８、
アクセスポイント６０ａを介してインターネットおよびイントラネットと接続する無線ネットワーク部２０６、
通信網を通じて電話を接続する通信モジュール２１６、
ＡＰＴに設置されたブルートゥース受信機６０ｂとのペアリングを通じて位置情報を送信するブルートゥースモジュール２１８、
災害発生時にＡＰＴ管理サーバ２０から受信した命令によって自動的に実行される救助アプリケーションが保存されたメモリ部２０４、
音声の入力および出力をするオーディオ入出力部２１２、
前記ドッキングステーション１００とのデータの送受信を通じて世帯内の設備を無線により制御して、災害発生時に前記ＡＰＴ管理サーバ２０からの実行命令を受信して救助アプリケーションを実行し、スマートパッド２００の位置情報が送信できるように制御する制御部２２０、
災害発生時に世帯構成員の緊急事態および周辺の状況の映像を取得するカメラモジュール２１０、および
インターネットおよび通信が不可能な状況で、無線通話を可能にする無線モジュール２１４を含むことを特徴とするスマート端末を利用してアパートで統合的なサービスを提供するシステム。
【請求項２】
ＣＣＴＶカメラ３５から駐車場の映像を受信して、インターネットまたはＡＰＴイントラネットを通じてスマート端末へ車両の映像を提供する駐車管理サーバ３０をさらに含むことを特徴とする請求項１に記載のスマート端末を利用してアパートで統合的なサービスを提供するシステム。
【請求項３】
前記駐車管理サーバ３０は、赤外線信号を利用してナンバープレートから車両番号を識別した番号情報を車両番号確認手段３１から受信し、且つ駐車場の入口に進入した車両が駐車した区域の情報を駐車場感知手段３２から受信して、保存し、当該車両番号の車両が駐車した区域のＣＣＴＶカメラ３５から映像信号を受信してスマート端末に送信することを特徴とする請求項２に記載のスマート端末を利用してアパートで統合的なサービスを提供するシステム。
【請求項４】
前記ＡＰＴ管理サーバ２０からスマートパッド２００の位置情報を受信して、リアルタイムで避難路の案内および緊急時に救助作業を行う防災センター５０をさらに含むことを特徴とする請求項１に記載のスマート端末を利用してアパートで統合的なサービスを提供するシステム。
【請求項５】
前記防災センター５０は、病院サーバ、消防署サーバ、警察署サーバおよび警備会社サーバのうちの少なくとも一つで構成され、災害発生時に前記ＡＰＴ管理サーバ２０と協働して緊急事態を解決できるようにネットワーク化されていることを特徴とする請求項４に記載のスマート端末を利用してアパートで統合的なサービスを提供するシステム。
【請求項６】
前記スマートパッド２００を取り外して移動時に、ＧＰＳを利用して位置を確認できるように、ＧＰＳモジュール２２２が搭載されたスマートパッド２００に電波を送信する人工衛星７５をさらに含むことを特徴とする請求項１に記載のスマート端末を利用してアパートで統合的なサービスを提供するシステム。
【請求項７】
前記スマート端末１０は、ドッキングステーション１００およびスマートパッド２００で構成され、
前記ドッキングステーション１００は、
前記スマートパッド２００のドッキング部２０２と接続されてデータを送受信するドッキング部１０２、
インターネットおよびＡＰＴ管理サーバ２０が提供するイントラネットと接続するための有線・無線ネットワーク部１０６、
前記スマートパッド２００からの入力信号に応じて世帯内の設備を無線により制御する無線制御モジュール１１８、
予約の決済または購入した商品の決済時にカード情報の入力を受けるカードリーダ１１６、
決済の内訳または予約の内訳を出力する印刷モジュール１１０、および
前記スマートパッド２００とのデータの送受信を制御し、前記スマートパッド２００との着脱を判断し、電源部１２２から電源を供給して充電を制御する制御部１２０を含むことを特徴とする請求項１に記載のスマート端末を利用してアパートで統合的なサービスを提供するシステム。
【請求項８】
前記ドッキングステーション１００は、
スマートパッド２００からの映像信号を外部に出力するディスプレイ出力部１０８、
前記スマートパッド２００からのオーディオ信号の出力と外部オーディオ信号の入力をするオーディオ入出力部１１２、および
前記スマートパッド２００に保存されたファイルをＵＳＢメモリに保存するＵＳＢモジュール１１４をさらに含むことを特徴とする請求項７に記載のスマート端末を利用してアパートで統合的なサービスを提供するシステム。
【請求項９】
前記救助アプリケーションは、緊急事態発生時に、ＡＰＴ管理サーバ２０により自動的に実行され、世帯構成員の位置、避難路、非常口の位置および消火器の設置場所を表示し、管理者、消防署および警察署の担当者と接続して通話する機能が備えられることを特徴とする請求項１に記載のスマート端末を利用してアパートで統合的なサービスを提供するシステム。
【発明の詳細な説明】
【技術分野】
【０００１】
本発明はスマート端末を利用してアパートで統合的なサービスを提供するシステムに関し、より詳細には、アパートに備わるスマート端末は、照明、ＴＶ、エアコン、ヒータ、玄関ドア、ボイラおよびガスなどの設備を無線により制御でき、駐車場ＣＣＴＶ（Closed Circuit Tele Vision）の画面を通じて車両の状態をチェックすることができ、災害発生時に、各世帯の位置による避難路の案内を受けることができるスマート端末を利用してアパートで統合的なサービスを提供するシステムに関する。
【背景技術】
【０００２】
一般的に、アパートは、共同住宅の一つの様式で、一定階以上の建物の階ごとに複数の家に一定に区画して、それぞれの独立した世帯が生活できるように作られた住居形態である。
【０００３】
近年では、ホームネットワークシステムを備えたアパートが建設されている。それに応じて世帯の内部の構成要素がシステム化され、一つのコントローラで各種設備を無線で制御することができる。
【０００４】
しかし、そのコントローラは、ほとんど居間の一壁面に固定された形態で構成されているので、ボイラ操作、照明制御、ガス遮断および玄関ドア制御のためには、体を動かして移動した後、操作しなければならない不便がある。
【０００５】
一方、アパートの駐車施設は、ほとんど地下空間を利用するので、世帯内では、車両の状態を確認できず、カメラの死角領域に駐車した場合には、その時の状況を分からずに破損の被害を受ける場合がたびたび発生している。
【０００６】
また、地下駐車場は、密閉されており、暗くて、駐車された車によって視野が遮られた場所が多いので、女性運転者が暴漢に対して無防備な状態で被害を受ける場合がある。
【０００７】
管理室でＣＣＴＶを通じた監視が可能であるが、入居者に生じた危険な状況を把握して対処するために、２４時間リアルタイムで監視するのは困難である。
【０００８】
一方、アパートで火災が発生した場合、発火場所がどこなのか、火災から安全に避難できる方向がどこなのかが分かりづらく、避難路を探しているうちに時間をが経過して命を失う場合がある。
【発明の開示】
【発明が解決しようとする課題】
【０００９】
前述した問題点を解決するための本発明の目的は、スマートパッドで各世帯の照明、ＴＶ、エアコン、ヒータ、玄関ドア、ボイラおよびガスなどの設備（以下、「世帯内の設備」と呼ぶ）を無線で制御できるようにするスマート端末を利用してアパートで統合的なサービスを提供するシステムを提供することにある。
【００１０】
また、本発明の目的は、スマート端末で駐車場に設置されたＣＣＴＶから映像信号を受信して、車両の状態を把握ことができるスマート端末を利用してアパートで統合的なサービスを提供するシステムを提供することにある。
【００１１】
また、本発明の目的は、災害発生時に、スマート端末で各世帯の位置に応じて、安全な避難路を提供するスマート端末を利用してアパートで統合的なサービスを提供するシステムを提供することにある。
【課題を解決するための手段】
【００１２】
本発明によるスマート端末を利用してアパートで統合的なサービスを提供するシステムは、各世帯に設置され、着脱が可能なドッキングステーション１００およびスマートパッド２００で構成され、ネットワーク接続状態である各世帯の照明、ＴＶ、エアコン、ヒータ、玄関ドア、ボイラおよびガスなどの設備を無線により制御でき、インターネット１を通じて公演の予約、商品の注文および決済が可能であり、災害発生時に、アクセスポイント６０ａとの接続およびブルートゥース受信機６０ｂとのペアリング（ｐａｒｉｎｇ）を通じて位置が確認されるようにして、防災センター５０からリアルタイムで避難路の案内を受けることができ、スマートパッド２００に備えられたカメラを通じて、災害発生時に世帯構成員の状況を送信でき、無線通話が可能なスマート端末１０、および少なくとも一つのアクセスポイント６０ａとの接続信号および少なくとも一つのブルートゥース受信機６０ｂとのペアリング信号を受信して、前記スマート端末１０の位置情報を確認し、前記スマート端末１０と無線通話が可能なＡＰＴ管理サーバ２０を含むことを特徴とすることができる。
【００１３】
また、ＣＣＴＶカメラ３５から駐車場の映像を受信して、インターネットまたはＡＰＴイントラネットを通じてスマート端末へ車両の映像を提供する駐車管理サーバ３０をさらに含むことを特徴とすることができる。
【００１４】
また、前記駐車管理サーバ３０は、赤外線信号を利用してナンバープレートから車両番号を識別した番号情報を車両番号確認手段３１から受信し、且つ駐車場の入口に進入した車両が駐車した区域の情報を駐車場感知手段３２から受信して、保存し、当該車両番号の車両が駐車した区域のＣＣＴＶカメラ３５から映像信号を受信してスマート端末に送信することを特徴とすることができる。
【００１５】
また、前記ＡＰＴ管理サーバ２０からスマートパッド２００の位置情報を受信して、リアルタイムで避難路の案内および緊急時に救助作業を行う防災センター５０をさらに含むことを特徴とすることができる。
【００１６】
また、前記防災センター５０は、病院サーバ、消防署サーバ、警察署サーバおよび警備会社サーバのうちの少なくとも一つで構成され、災害発生時にＡＰＴ管理サーバ２０と協働して緊急事態を解決できるようにネットワーク化されていることを特徴とすることができる。
【００１７】
また、前記スマートパッド２００を取り外して移動時に、ＧＰＳを利用して位置を確認できるように、ＧＰＳモジュール２２２が搭載されたスマートパッド２００に電波を送信する人工衛星７５をさらに含むことを特徴とすることができる。
【００１８】
また、前記スマート端末１０は、ドッキングステーション１００およびスマートパッド２００で構成され、前記ドッキングステーション１００は、前記スマートパッド２００のドッキング部２０２と接続されてデータを送受信するドッキング部１０２、インターネットおよびＡＰＴ管理サーバ２０が提供するイントラネットと接続するための有線・無線ネットワーク部１０６、前記スマートパッド２００からの入力信号に応じて世帯内の設備を無線により制御する無線制御モジュール１１８、予約の決済または購入した商品の決済時にカード情報の入力を受けるカードリーダ１１６、決済の内訳または予約の内訳を出力する印刷モジュール１１０、および前記スマートパッド２００とのデータの送受信を制御し、前記スマートパッド２００との着脱を判断し、電源部１２２から電源を供給して充電を制御する制御部１２０を含むことを特徴とすることができる。
【００１９】
また、前記ドッキングステーション１００は、スマートパッド２００からの映像信号を外部に出力するディスプレイ出力部１０８、前記スマートパッド２００からのオーディオ信号の出力と外部オーディオ信号の入力をするオーディオ入出力部１１２、および前記スマートパッド２００に保存されたファイルをＵＳＢメモリに保存するＵＳＢモジュール１１４をさらに含むことを特徴とすることができる。
【００２０】
また、前記スマートパッド２００は、前記ドッキングステーション１００のドッキング部１０２と接続され、バッテリの充電およびデータの送受信をするドッキング部２０２、タッチパッドを含んで構成され、キー入力および画面表示をするディスプレイ部２０８、アクセスポイント６０ａを介してインターネットおよびイントラネットと接続する無線ネットワーク部２０６、通信網を通じて電話を接続する通信モジュール２１６、ＡＰＴに設置されたブルートゥース受信機６０ｂとのペアリングを通じて位置情報を送信するブルートゥースモジュール２１８、災害発生時にＡＰＴ管理サーバ２０から受信した命令によって自動的に実行される救助アプリケーションが保存されたメモリ部２０４、音声の入力および出力をするオーディオ入出力部２１２、および前記ドッキングステーション１００とのデータの送受信を通じて世帯内の設備を無線により制御して、災害発生時に前記ＡＰＴ管理サーバ２０からの実行命令を受信して救助アプリケーションを実行し、スマートパッド２００の位置情報が送信できるように制御する制御部２２０を含むことを特徴とすることができる。
【００２１】
また、前記救助アプリケーションは、緊急事態発生時に、ＡＰＴ管理サーバ２０により自動的に実行され、世帯構成員の位置、避難路、非常口の位置および消火器の設置場所を表示し、管理者、消防署および警察署の担当者と接続して通話する機能が備えられることを特徴とすることができる。
【００２２】
また、前記スマートパッド２００は、災害発生時に世帯構成員の緊急事態および周辺の状況の映像を取得するカメラモジュール２１０、およびインターネットおよび通信が不可能な状況で、無線通話を可能にする無線モジュール２１４をさらに含むことを特徴とすることができる。
【発明の効果】
【００２３】
本発明のアパートでスマート端末を利用して統合的なサービスを提供するシステムおよびそのスマート端末によると、制御システムが実装されたドッキングステーションとネットワーク状態であるアパートの照明、ＴＶ、エアコン、ヒータ、玄関ドア、ボイラおよびガスなどの無線制御が可能な効果がある。
【００２４】
また、スマート端末で駐車場に設置されたＣＣＴＶ映像を表示するようにして、車両の状態を把握することができ、災害発生時に、スマート端末で各世帯の位置に応じて、安全な避難路を提供することができる効果がある。
【図面の簡単な説明】
【００２５】
【図１】本発明の実施例に係るスマート端末を利用してアパートで統合的なサービスを提供するシステムの構成を示すブロック図である。
【図２】本発明の実施例に係るアパートでのスマート端末の構成を示すブロック図である。
【図３】本発明の実施例に係るアパートでの災害発生時に世帯構成員の位置に応じた避難路の案内が可能な構成を示すブロック図である。
【図４】本発明の実施例に係る駐車場のＣＣＴＶ映像をスマート端末へ提供するためのシステム構成を示すブロック図である。
【図５】本発明の実施例に係るスマート端末の形状を示す図である。
【図６】本発明の実施例に係るスマート端末の形状を示す図である。
【発明を実施するための最良の形態】
【００２６】
以下、添付された図面を参照して、本発明のスマート端末を利用してアパートで統合的なサービスを提供するシステムについて説明する。
【００２７】
図１は、本発明の実施例に係るアパートでスマート端末を利用して統合的なサービスを提供するシステムの構成を示すブロック図である。
【００２８】
図１に示すように、スマート端末を利用してアパートで統合的なサービスを提供するシステムは、各世帯に設置され、着脱が可能なドッキングステーション１００およびスマートパッド２００で構成され、ネットワーク接続状態である各世帯の照明、ＴＶ、エアコン、ヒータ、玄関ドア、ボイラおよびガスなどを無線により制御でき、インターネット網１を通じて公演の予約、商品の注文および決済が可能であり、災害発生時にアクセスポイント（ＡＰ）６０ａへの接続およびブルートゥース受信機６０ｂとのペアリングを通じて位置が確認されるようにして、防災センター５０からリアルタイムで避難路の案内を受けることができ、スマートパッド２００に備えられたカメラを通じて世帯構成員の状況を確認でき、無線通話が可能なスマート端末１０と、スマート端末１０と少なくとも一つのアクセスポイント６０ａとの接続信号および少なくとも一つのブルートゥース受信機６０ｂとのペアリング信号を受信して、スマート端末１０の位置情報を確認し、スマート端末１０と無線通話が可能なＡＰＴ管理サーバ２０と、ＣＣＴＶカメラ３５から駐車場の映像を受信して、インターネットまたはＡＰＴイントラネットを通じてスマート端末に車両の映像を提供する駐車管理サーバ３０と、ＡＰＴ管理サーバ２０からスマートパッド１００の位置情報を受信してリアルタイムで避難路の案内および緊急時に救助作業を行う病院サーバ、消防署サーバ、警察署サーバおよび警備会社サーバなどを含む防災センター５０と、ＡＰＴ周辺の一つ以上の業者として、商店、病院、レストラン、美容室、エステサロン、自動車整備店およびデパートなどを含む業者サーバ７０と、スマートパッド２００を取り外して移動時に、ＧＰＳを利用して位置を確認できるようにＧＰＳモジュール２２２が搭載されたスマートパッド２００に電波を送信する人工衛星７５とで構成される。
【００２９】
スマート端末１０は、一つのドッキングステーション１００に複数のスマートパッド２００が装着される形態で構成されてもよい。
【００３０】
例えば、世帯の人数に応じて、携帯電話の大きさのスマートパッド２００を提供して、それぞれを固有の番号で区別されるようにして、外出時または個別の移動時に容易に使用できるようにすることが望ましい。
【００３１】
災害発生時に、一つのスマートパッド２００に複数人が依存する場合、避難が容易ではないこともあるため、個別にスマートパッド２００が提供されることが望ましい。
【００３２】
また、スマートパッド２００には、電話および無線電話機能が備えられ、電話通信網の使用が不可能な場合に無線通話で緊急事態に対処することができる。
【００３３】
アクセスポイント６０ａとブルートゥース受信機６０ｂは、望ましくは、世帯内部、廊下、ロビー、非常階段およびエレベーターなどに設置され、ＡＰＴ管理サーバ２０は、アクセスポイント６０ａとの接続信号およびブルートゥース受信機６０ｂとのペアリング信号を分析して、世帯構成員が所持するスマートパッド２００の位置を把握する。
【００３４】
駐車管理サーバ３０は、ＡＰＴ管理サーバ２０に含まれて構成されており、駐車場のフロアに別途に設置されてもよい。
【００３５】
駐車管理サーバ３０は、駐車場に設置された一つ以上の固有の番号を持つＣＣＴＶカメラ３５の映像をデータ化してＡＰＴ管理サーバ２０に送信して、スマート端末１０で提供する。
【００３６】
ＣＣＴＶカメラ３５にＩＰ通信モジュールが搭載されている場合、スマート端末１０は、ＡＰＴ管理サーバ２０を経ることなく、車両の映像信号を受信することができる。
【００３７】
例えば、アパートのホームページに地下駐車場の略図を提供し、その略図の上にＣＣＴＶカメラ３５が設置されている位置と、その位置に設置されたＣＣＴＶカメラ３５の固有のＩＰアドレスを表記して、各世帯のスマート端末１０でインターネットを通じて映像を受信することができるようにする。
【００３８】
ＡＰＴ管理サーバー２０は、イントラネットを通じて、各スマートパッド２００で公演、物品購買、旅行商品などに対する割引情報を提供し、提供された情報に基づいて、ＡＰＴ管理サーバ２０で決済を行う時にクーポン割引および提携割引が適用されるようにする。
【００３９】
防災センター５０は、病院サーバ、消防署サーバ、警察署サーバおよび警備会社サーバなどで構成され、ＡＰＴ管理サーバ２０と災害発生時に協働して緊急事態を解決することができるようにネットワーク化されていることが望ましい。
【００４０】
例えば、火災が発生した場合、別途の要求がなくても、火災発生に伴う警報信号が各防災センター５０に伝えられるようにして、速かに協力されるようにすることが望ましい。
【００４１】
人工衛星７５は、ＧＰＳモジュール２２２が搭載されたスマートパッド２００に電波を送信する。ＧＰＳモジュール２２２は、４個以上の人工衛星７５から送信された電波が到達する時間を計算して、現在の場所の経度および緯度の座標と高度の情報を確認することができる。
【００４２】
図２は、本発明の実施例に係るスマート端末の構成を示すブロック図である。
【００４３】
図２を参照すると、スマート端末１０は、ドッキングステーション１００と、スマートパッド２００とで構成される。ドッキングステーション１００は、スマートパッド２００のドッキング部２０２と接続されてデータを送受信するドッキング部１０２と、インターネットおよびＡＰＴ管理サーバ２０が提供するイントラネットと接続するための有線・無線ネットワーク部１０６と、スマートパッド２００からの入力信号に応じて、ネットワーク接続状態である世帯の照明、ＴＶ、エアコン、ヒータ、玄関ドア、ボイラおよびガスなどを無線により制御する無線制御モジュール１１８と、予約の決済または購入した商品の決済時にカード情報の入力を受けるカードリーダ１１６と、決済の内訳または予約の内訳を出力する印刷モジュール１１０と、スマートパッド２００とのデータの送受信を制御し、スマートパッド２００からの着脱を判断し、電源部１２２から電源を供給して充電を制御する制御部１２０と、スマートパッド２００からの映像信号を外部に出力するディスプレイ出力部１０８と、スマートパッド２００からのオーディオ信号の出力と外部オーディオ信号の入力をするオーディオ入出力部１１２と、スマートパッド２００に保存されたファイルをＵＳＢメモリに保存するＵＳＢモジュール１１４とで構成される。
【００４４】
カードリーダ１１６は、近距離通信モジュール（図示せず）および磁気リーダモジュール（図示せず）で構成され、ＮＦＣ（Ｎｅａｒ  Ｆｉｅｌｄ  Ｃｏｍｍｕｎｉｃａｔｉｏｎ）、ＲＦＩＤタグ、クレジットカード、ＩＣカードなどの情報を受ける。
【００４５】
ディスプレイ出力部１０８は、スマートパッド２００の画面をＴＶなどに出力して、写真および動画を鑑賞できるようにし、大きい画面でＷｅｂブラウザを実行できるようにする。
【００４６】
制御部１２０は、災害発生時に、スマートパッド２００が装着されているかをＡＰＴ管理サーバ２０に送信して、世帯構成員がスマートパッド２００を所持しているかを確認できるようにする。
【００４７】
スマートパッド２００は、ドッキングステーション１００のドッキング部１０２と接続されて、バッテリの充電およびデータの送受信をするドッキング部２０２と、タッチパッドを含んで構成され、キー入力および画面を表示するディスプレイ部２０８と、アクセスポイント６０ａを介してインターネットおよびイントラネットと接続する無線ネットワーク部２０６と、通信網を通じて電話を接続する通信モジュール２１６と、ＡＰＴに設置されたブルートゥース受信機６０ｂとのペアリングを通じて位置情報を送信するブルートゥースモジュール２１８と、基本ＯＳのプログラムおよび少なくとも一つのアプリケーションが保存され、災害発生時に、ＡＰＴ管理サーバ２０から受信した命令によって、自動的に実行される救助アプリケーションが保存されたメモリ部２０４と、音声の入力および出力をするオーディオ入出力部２１２と、ドッキングステーション１００とのデータの送受信を通じて世帯内の設備を無線により制御して、災害発生時に、ＡＰＴ管理サーバ２０からの実行命令を受信して救助アプリケーションを実行し、スマートパッド２００の位置情報が送信できるように制御する制御部２２０と、災害発生時に世帯構成員の緊急事態および周辺の状況の映像を取得するカメラモジュール２１０と、インターネットおよび通信が不可能な状況で、無線通話を可能にする無線モジュール２１４と、ＴＶ放送を受信するためのＴＶモジュール２２４とで構成される。
【００４８】
カメラモジュール２１０は、前面と後面にそれぞれ備えられて、災害発生時に世帯構成員の状況の前面の映像と後面の映像とを同時に確認できるようにすることが望ましい。
【００４９】
また、カメラモジュール２１０と連動したフラッシュ（図示せず）を作動させて、災害発生時に停電になった場合、避難路を安全に探して、避難路に行けるようにすることが望ましく、移動が不可能な状況でも自身の位置を知らせるように、オーディオ入出力部２１２を通じて最大音量の警報音を出力することが望ましく、フラッシュおよび警報音の出力は、救助アプリケーション上でホットキーメニューで提供されることが望ましい。
【００５０】
ＧＰＳモジュール２２２は、４個以上の人工衛星７５から送信された電波が到達する時間を計算して、現在の場所の経度および緯度の座標と高度の情報を確認することができる。その後、地図データ上に位置を表示してＡＰＴ管理サーバ２０に送信する。
【００５１】
救助アプリケーションは、緊急事態発生時にＡＰＴ管理サーバ２０からの命令により自動的に実行され、世帯構成員の位置、避難路、非常口の位置、消火器の設置場所が表示され、管理者、消防署、警察署などの担当者と接続して通話する機能を有する。
【００５２】
図３は、本発明の実施例に係る災害発生時に各世帯の位置に応じた避難路の案内が可能な構成を示すブロック図である。
【００５３】
図３を参照すると、火災のような災害が発生した場合、ＡＰＴ管理サーバ２０は、スマート端末１０のスマートパッド２００のアクセスポイント６０ａとの接続およびブルートゥース受信機６０ｂとのペアリング状態を確認する。
【００５４】
ＡＰＴ管理サーバ２０は、スマートパッド２００の位置を確認すると、救助アプリケーションの実行命令を送信して、自動的に該当アプリケーションを実行し、同時に、前面または後面のカメラが作動するようにすることが望ましい。
【００５５】
ＡＰＴ管理サーバ２０は、スマートパッド２００の救助アプリケーションで世帯構成員を避難路へ案内し、同時に、防災センター５０に状況を送信して、世帯構成員の位置情報を共有する。
【００５６】
ＡＰＴ管理サーバ２０が、防災センター５０と世帯構成員の位置情報を共有する理由は、避難路への正常的な脱出が難しい場合に、防災センター５０が世帯構成員の位置をリアルタイムで確認して救助作業を容易にするためである。
【００５７】
災害発生時に、ＡＰＴ管理サーバ２０は、スマートパッド２００がドッキングステーション１００と接続されていないことを確認すると、救助アプリケーションを自動的に実行して、世帯構成員の状況の映像を確認する。
【００５８】
世帯構成員の状況の映像を確認できない場合、世帯構成員がスマートパッド２００を所持していなかったり、緊急事態が発生した可能性が高いので、位置を照会して該当位置に救助隊員を出動させることが望ましい。
【００５９】
さらに、無線通話を試みて世帯構成員を呼び出して、応答があるかを確認することが望ましい。
【００６０】
災害発生時に、スマートパッド２００がドッキングステーション１００と接続されていることを確認した場合、世帯構成員が世帯内にいると判断して、有線電話で世帯構成員が安全な状態にあるかを確認することが望ましい。
【００６１】
図４は、本発明の実施例に係る駐車場のＣＣＴＶカメラの映像をスマート端末で提供するためのシステムの構成を示すブロック図である。
【００６２】
図４に示すように、駐車場のＣＣＴＶカメラ３５の映像をスマート端末１０で提供するシステムは、スマート端末１０、ＡＰＴ管理サーバ２０、駐車管理サーバ３０、ＣＣＴＶカメラ３５、駐車場感知手段３２および車両番号確認手段３１で構成される。
【００６３】
車両番号確認手段３１は、赤外線信号を利用してナンバープレートを識別して車両番号を認識する装置であり、ＡＰＴの入口や駐車場の入口に設置されることが望ましい。
【００６４】
駐車場感知手段３２は、駐車場の入口に進入した車両が駐車した区域を感知して駐車管理サーバ３０に送信するセンサモジュールである。
【００６５】
駐車場感知手段３２は、ショッピングモールおよびデパートなどに設置されたセンサ装置と同一の公知の技術であり、その動作の詳しい説明は省略する。
【００６６】
ＣＣＴＶカメラ３５は、映像受信モジュールに加えて、メモリ、ＩＰモジュールおよびマイコン（ＭＩＣＯＭ）が含まれて構成され、駐車管理サーバ３０が選択的に映像を受信できることが望ましい。
【００６７】
また、スマート端末１０は、ＡＰＴイントラネット、インターネットおよびアクセスポイント６０ａを利用して、ＣＣＴＶカメラ３５のＩＰモジュールとの通信を介して映像を直接受信することができる。
【００６８】
図５および図６は、本発明の実施例に係るスマート端末の形状を示す図であり、左側にスマートパッド２００が固定されるように装着されてドッキングすることができるステーションが備えられ、右側にカードリーダおよび出力機能を有するステーションが備えられる。
【００６９】
右側のステーションの背面には、電源部１２２、ディスプレイ出力部１０８、有線・無線ネットワーク部１０６、ＵＳＢモジュール１１４およびオーディオ入出力部１１２が備えられて、拡張性を高めることができる。
【符号の説明】
【００７０】
１：インターネット
１０：スマート端末
２０：ＡＰＴ管理サーバ
３０：駐車管理サーバ
４０：通信会社サーバ
４１：基地局
５０：防災センター
６０ａ：アクセスポイント（ＡＰ）
６０ｂ：ブルートゥース受信機
７５：人工衛星
１００：ドッキングステーション
１０２、２０２：ドッキング部
１０４、２０４：メモリ部
１０６：有線・無線ネットワーク部
１０８：ディスプレイ出力部
１１０：印刷モジュール
１１２、２１２：オーディオ入出力部
１１４：ＵＳＢモジュール
１１６：カードリーダ
１１８：無線制御モジュール
１２０、２２０：制御部
２０６：無線ネットワーク部
２０８：ディスプレイ部
２１０：カメラモジュール
２１４：無線モジュール
２１６：通信モジュール
２１８：ブルートゥースモジュール
２２２：ＧＰＳモジュール
２２４：ＴＶモジュール
【図１】
0005894345.tif 000002
【図２】
0005894345.tif 000003
【図３】
0005894345.tif 000004
【図４】
0005894345.tif 000005
【図５】
0005894345.tif 000006
【図６】
0005894345.tif 000007